(57)【要約】【課題】非接触方式のＩＣチップが取り付けられていることがわかり、また、そのＩＣチップを容易に貼り付け、または剥がすことができるタグ、およびこのタグにＩＣチップを貼り付けたＩＣチップ付きタグを提供する。【解決手段】第一の基材シート４および第二の基材シート５の裏面に粘着層７、８が形成され、前記第一の基材シート４にＩＣチップ用窓部１３が設けられ、第一、第二の基材シート４、５が折り曲げられ前記粘着層７、８により貼り合わされてタグ本体１が形成される。このタグ本体１の、第一の基材シート４のＩＣチップ用窓部１３には、第二の基材シート５の粘着層８が露出しているので、このＩＣチップ用窓部１３に非接触方式のＩＣチップ２を容易に貼り付けることができる。また、ＩＣチップ２はタグ本体１のＩＣチップ用窓部１３に露出した状態で貼り付けられているので、このＩＣチップ２を容易に剥がして再利用することができる。【選択図】図１
2007156339.tif 000002
【特許請求の範囲】
【請求項１】
第一の基材シート（４）と、第二の基材シート（５）とが折り曲げ線（６）を挟んで一体に設けられ、前記第一の基材シート（４）にＩＣチップ用窓部（１３）が設けられ、前記第二の基材シート（５）の裏面に粘着層（８）が形成され、前記第一の基材シート（４）と前記第二の基材シート（５）とが前記折り曲げ線（６）で折り曲げられ前記粘着層（８）により貼り合わせられたタグ。
【請求項２】
上記第一の基材シート（４）および第二の基材シート（５）が上記ＩＣチップ用窓部（１３）に貼り付けられるＩＣチップ（２）と同じ厚みに形成されたことを特徴とする請求項１に記載のタグ。
【請求項３】
上記第一の基材シート（４）の裏面に粘着層（７）が形成されたことを特徴とする請求項１または２に記載のタグ。
【請求項４】
上記請求項１から３のいずれかに記載のタグの、上記第一の基材シート（４）のＩＣチップ用窓部（１３）に非接触方式のＩＣチップ（２）が貼り付けられたＩＣチップ付きタグ。
【発明の詳細な説明】
【技術分野】
【０００１】
この発明は、商品などに取り付けるタグに関し、特に、非接触方式のＩＣチップを設けることのできるタグに関する。
【背景技術】
【０００２】
一般に、商品に取り付けられているタグには、その商品の価格だけでなく、製品名、製造元、製品情報、バーコードなどの商品情報が印刷され、このタグにより売り上げや在庫の管理が行われている。これらの商品情報は、タグの大きさによって制約を受け、面積の小さいタグでは商品の情報量が制限され、多くの情報をタグに印刷するためには文字が小さくなり、文字が読みにくくなるという問題があった。また、商品情報が印刷によって表示されているので、その商品情報の書き換えをすることができないという問題もあった
【０００３】
上記の問題を解決するため、商品に取り付けられるタグに、アンテナを介して内部データの読み取りあるいは書き込みを行える非接触方式のＩＣチップを取り付けて、上記の商品情報を記憶させることのできるタグが提案されている（特許文献１参照）。
【０００４】
上記の特許文献１のタグは、基材シートの片面に設けられた粘着層に非接触方式のＩＣチップが貼り付けられ、この粘着層を内側にして折り曲げ貼り合わせた基材シートの間に前記ＩＣチップが設けられたものである。前記基材シート表面に印刷された上記の商品情報に加えて、商品の出所確認や、出庫管理、顧客情報などの商品情報をＩＣチップに記憶させることができ、さらに、新たな情報を書き込んだり、または不要な情報を消去したり情報の更新をすることができる。
【特許文献１】特開２００４−２６５１２６号公報
【発明の開示】
【発明が解決しようとする課題】
【０００５】
上記特許文献１のタグに設けられた非接触方式のＩＣチップは、一般に、高価であり、また、廃棄されると産業廃棄物となるため、これを再利用することが望ましい。しかし、上記特許文献１のタグは、折り曲げて貼り合わせた基材シートの間に挟まれた状態でＩＣチップが設けられているので、このＩＣチップが外部から見えない。そのため、不要になった前記特許文献１のタグが、ＩＣチップが設けられていないタグと見誤って捨てられてしまうという問題があった。
【０００６】
また、上記の非接触方式のＩＣチップを再利用するために、そのＩＣチップを取り出すには、折り曲げて貼り合わせた基材シートを開いてＩＣチップを露出させ、その露出させたＩＣチップを基材シートから剥がす必要があり、手間のかかる作業であった。
【０００７】
そこで、この発明は、非接触方式のＩＣチップが取り付けられていることがわかり、また、そのＩＣチップを容易に貼り付け、または剥がすことができるタグを提供することを課題とする。
【課題を解決するための手段】
【０００８】
前記のタグに関する課題を解決するために、この発明は、第一の基材シートと、第二の基材シートとが折り曲げ線を挟んで一体に設けられ、前記第一の基材シートにＩＣチップ用窓部が設けられ、前記第二の基材シートの裏面に粘着層が形成され、前記第一の基材シートと前記第二の基材シートとが前記折り曲げ線で折り曲げられ前記粘着層により貼り合わせられた構成を採用したのである。
【０００９】
この構成によると、第一の基材シートと、第二の基材シートとを折り曲げて形成したタグは、その片面に第一の基材シートに設けたＩＣチップ用窓部が設けられ、このＩＣチップ用窓部には第二の基材シートの粘着層が露出した状態となる。このため、粘着層が露出するＩＣチップ用窓部に非接触方式のＩＣチップを容易に貼り付けることができる。
【００１０】
また、上記第一の基材シートおよび第二の基材シートが上記ＩＣチップ用窓部に貼り付けられるＩＣチップと同じ厚みに形成された構成とすると、第一の基材シート表面とＩＣチップ表面との段差がなくなるので、タグの表面が平らになり、このタグを複数枚重ねた際にかさ張らない。
【００１１】
上記第一の基材シートの裏面に粘着層が形成された構成とすると、第一の基材シートおよび第二の基材シートを、それぞれの粘着層により、離形シートなどの台紙に貼り付けておくことができる。これにより、第一の基材シートと第二の基材シートとを折り曲げて、形成することができる。
【００１２】
また、ＩＣチップ付きタグに関する課題を解決するために、この発明は、上記請求項１から３のいずれかに記載のタグのＩＣチップ用窓部に非接触方式のＩＣチップが貼り付けられた構成としたのである。このようにすると、このＩＣチップが露出した状態となり、外からＩＣチップが見えるため、ＩＣチップが設けられていないタグと見誤らず、不用意に捨てられることを防ぐことができる。
【００１３】
さらに、上記ＩＣチップが露出した状態となっているので、従来のタグのように、折り曲げられ貼り付けられた基材シートを開いてＩＣチップを露出させる作業が必要なくなり、ＩＣチップ用窓部からＩＣチップを容易に剥がして取り出すことができる。
【発明の効果】
【００１４】
以上のように、この発明のタグは、その片面に設けられたＩＣチップ用窓部に非接触方式のＩＣチップを容易に貼り付け、または剥がすことができるので、前記ＩＣチップの再利用がし易くなる。
【００１５】
また、この発明のＩＣチップ付きタグは、非接触方式のＩＣチップが露出した状態で貼り付けられているので、外からＩＣチップが見えるため、ＩＣチップが設けられていないタグと見誤らず、不用意に捨てられることを防ぐことができ、ＩＣチップ用窓部からＩＣチップを容易に剥がして取り出し、ＩＣチップの再利用がし易くなる。
【発明を実施するための最良の形態】
【００１６】
以下、この発明の実施形態のタグを添付図面に基づいて説明する。
上記タグは、図１に示すように、タグ本体１と、このタグ本体１に貼り付けられる非接触方式のＩＣチップ２と、このタグ本体１を商品などに取り付ける取り付け紐３とから構成される。
【００１７】
上記タグ本体１は、図２に示すように、折り曲げ線６に沿って折り曲げられ相互に貼り合わされる第一の基材シート４と第二の基材シート５とからなる。
【００１８】
上記第一の基材シート４および第二の基材シート５は、図２（ａ）に示すように、それぞれ同じ矩形に形成され、上記折り曲げ線６を挟んで線対称の位置に一体に設けられる。第一の基材シート４および第二の基材シート５の裏面にはそれぞれ粘着層７、８が全面に形成され、この粘着層７、８によって離形シート９に貼り付けられたものである。また、その各コーナー部分には円弧状に切り欠いたアール１０が形成される。
【００１９】
上記第一の基材シート４および第二の基材シート５の折り曲げ線６を挟んで線対称の位置に、取り付け孔１１がそれぞれ設けられる。この各取り付け孔１１には切り込み１２が設けられ、この取り付け孔１１にタグ本体１を商品などに取り付ける上記取り付け紐３を通し、その切り込み１２に取り付け紐３を差し込むことでタグ本体１を係止して固定することができる。
【００２０】
上記第一の基材シート４の折り曲げ線６寄りの位置にＩＣチップ用窓部１３が設けられる。このＩＣチップ用窓部１３は、図２（ｂ）に示すように後述するＩＣチップ２の大きさよりも大きく形成され、第一の基材シート４をハーフカットして設けられ、第一の基材シート４および粘着層７に達するものである。これにより、第一の基材シート４のＩＣチップ用窓部１３の部分を離形シート９から剥がし、第一、第二の基材シート４、５を折り曲げて貼り合わせてタグ本体１を形成すると、前記ＩＣチップ用窓部１３に第二の基材シート５の粘着層８が露出する状態となる。このため、この粘着層８が露出したＩＣチップ用窓部１３に、ＩＣチップ２を容易に貼り付けることができる。なお、前記ＩＣチップ用窓部１３を第一の基材シート４、粘着層７および離形シート９を打ち抜いて設けてもよい。
【００２１】
上記第一、第二の基材シート４、５は、その厚みが後述するＩＣチップ２の厚みと同じに形成されたものである（図１（ｂ）参照）。これにより、この第一の基材シート４表面とＩＣチップ２表面との段差がなくなるので、ＩＣチップ付きタグの表面が平らになり、このＩＣチップ付きタグを複数枚重ねた際にかさ張らない。また、第一の基材シート４または第二の基材シート５の少なくとも一方の表面には、あらかじめ、商品名、製造元、価格などの表示１４や、バーコード１５などを印刷することができる。
【００２２】
上記折り曲げ線６は、直線状に設けられ、第一の基材シート４と第二の基材シート５とを折り曲げて貼り合わせる際の折り目となるものである。前記それぞれの基材シート４、５を一部残した状態で厚さ方向に設けた切り込み、または、Ｖ字状の切り込み、あるいはこれらの組み合わせたものである。
【００２３】
このタグ本体１のＩＣチップ用窓部１３に貼り付けられる非接触方式のＩＣチップ２は、リーダライタとの間で非接触通信ができるものであり、フィルム状の基材上にアンテナ１６と、メモリ１７とからなる非接触ＩＣ回路が実装されたものである。リーダライタからの一定の周波数の電波をアンテナ１６により受信すると、メモリ１７に記憶している商品情報などを発信源であるリーダライタに送信する。これにより、前記ＩＣチップ２を貼り付けたタグ本体１は、非接触状態で商品情報を送受信できる。さらに、商品の出所確認や、出庫管理、顧客情報などの商品情報をＩＣチップ２に記憶させることができ、新たな情報を書き込んだり、または不要な情報を消去したり情報の更新をすることができる。
【００２４】
上記タグ本体１の取り付け孔１１に通される取り付け紐３は、繊維糸からなり取り付け対象となる商品などに結び付けてタグ本体１を取り付けるものである。
【００２５】
以上のように、この実施形態のタグは構成され、以下にその作成方法を説明する。
まず、図３（ａ）に示すように、上記第一の基材シート４のＩＣチップ用窓部１３の部分を離形シート９から剥がし、第一の基材シート４および第二の基材シート５を離形シート９から剥がした状態で、折り曲げ線６で折り曲げ、第一の基材シート４の粘着層７と第二の基材シート５の粘着層８とを接着させる。
【００２６】
上記第一の基材シート４と第二の基材シート５とは、折り曲げ線６を挟んで線対称に設けられているので、ずれることなく貼り合わされてタグ本体１が形成される（図３（ｂ）参照）。
【００２７】
また、第一の基材シート４と第二の基材シート５に設けられたそれぞれの取り付け孔１１も、折り曲げ線６を挟んで線対称に設けられているので、位置がずれることなく、タグ本体１を貫通して形成される。この取り付け孔１１に上記取り付け紐３を通す。
【００２８】
各基材シート４、５により形成されたタグ本体１の表面には、第一の基材シート４のＩＣチップ用窓部１３が設けられ、このＩＣチップ用窓部１３は、第二の基材シート５の粘着層８が露出した状態となる。
【００２９】
次に、図３（ｃ）に示すように、上記タグ本体１のＩＣチップ用窓部１３に非接触方式のＩＣチップ２を貼り付ける。このタグ本体１のＩＣチップ用窓部１３は、上述のように、第二の基材シート５の粘着層８が露出した状態となっているのでＩＣチップ２を容易に貼り付けることができる。
【００３０】
このＩＣチップ２は、タグ本体１の第一の基材シート４側に露出した状態で貼り付けられているので、ＩＣチップが設けられていないタグと見誤って捨てられることがない。また、ＩＣチップ付きタグからそのＩＣチップ２を取り出すには、タグ本体１の第一の基材シート４のＩＣチップ用窓部１３からＩＣチップ２を剥がせばよい。このため、このＩＣチップ２を容易に取り出すことができ、非接触方式のＩＣチップを容易に再利用することができる。
【図面の簡単な説明】
【００３１】
【図１】（ａ）実施形態のＩＣチップ付きタグの斜視図、（ｂ）（ａ）に示すＡ―Ａ線の断面図。
【図２】（ａ）同上の第一、第二の基材シートの使用前の状態を示す斜視図、（ｂ）（ａ）に示すＢ−Ｂ線の断面図。
【図３】（ａ）同上の第一、第二の基材シートを離形シートから剥がした状態を示す斜視図、（ｂ）同上のタグ本体にＩＣチップを貼り付ける状態を示す斜視図、（ｃ）同上のタグ本体にＩＣチップを貼り付けた状態を示す斜視図
【符号の説明】
【００３２】
１  タグ本体
２  ＩＣチップ
３  取り付け紐
４  第一の基材シート
５  第二の基材シート
６  折り曲げ線
７  粘着層
８  粘着層
９  離形シート
１０  アール
１１  取り付け孔
１２  切り込み
１３  ＩＣチップ用窓部
１４  表示
１５  バーコード
１６  アンテナ
１７  メモリ
【図１】
2007156339.tif 000003
【図２】
2007156339.tif 000004
【図３】
2007156339.tif 000005